(57)【要約】【課題】  スライドトレーを本体側筐体に引出可能に設けたものにおいて、消費電力を少なくすると共に、耐衝撃性を向上させる。【解決手段】  本体側筐体２に設けられた係合部２４と係合するロック手段２３の被係合部２５をロック位置からロック解除位置へ移動させる移動手段２７が被係合部を操作することによって、ロック機構のロックが解除され、スライドトレー３を本体側筐体から引き出す弾発力が蓄えられた弾発部材１４の弾発力によって、スライドトレーが本体側筐体から引き出されるようにした。【選択図】図９
2006155895.tif 000002
【特許請求の範囲】
【請求項１】
本体側筐体に引き出し可能に設けられたスライドトレーのイジェクト機構であって、
上記スライドトレーを上記本体側筐体から引き出す弾発力が蓄えられる弾発部材と、
上記弾発力の発動を阻止するロック手段とを備え、
上記ロック手段は、上記本体側筐体に設けられた係合部と係合する被係合部と、
上記被係合部を上記ロック手段がロックされるロック位置からこのロックが解除されるロック解除位置へ移動させる移動手段と、
上記被係合部を移動させる駆動力を供給するモータと、
上記モータからの駆動力を上記移動手段に伝達する伝達手段とを備え、
上記スライドトレーのイジェクト時には、上記移動手段が上記被係合部を操作して、該被係合部が操作されることによって、上記ロック機構のロックが解除されて、上記弾発部材の弾発力によって、上記スライドトレーが上記本体側筐体から引き出される
ことを特徴とするスライドトレーのイジェクト機構。
【請求項２】
上記移動手段には、上記モータに電流を供給するためのスイッチを押圧又は押圧解除するカム面が形成され、上記スライドトレーのイジェクト時に、上記移動手段の上記カム面が上記スイッチを押圧して上記モータに電流が供給される
ことを特徴とする請求項１に記載のスライドトレーのイジェクト機構。
【請求項３】
上記カム面は上記移動手段の外周に近い押圧部と該押圧部より上記移動手段の内周側に形成された非押圧部とを有し、上記移動手段が回転して上記押圧部が上記スイッチの操作子に対向する位置において、該操作子を押圧することにより、上記モータに電流が供給されるとともに、上記非押圧部が上記操作子に対向する位置に位置することによって、上記スイッチへの押圧が解除される
ことを特徴とする請求項２に記載のスライドトレーのイジェクト機構。 
【請求項４】
上記モータの駆動回路は２つの系統で構成され、上記スライドトレーのイジェクトスイッチが押されると、上記モータの駆動回路の上記２つの系統のうちの第１の系統が閉じて上記モータに電流が流れるとともに、該第１の系統は、所定時間後には、電流が切られるように構成され、
上記モータに電流が流れ、該モータが回転して、上記移動手段が回転を開始し、該移動手段が所定角度回転すると、上記カム面の上記押圧部が上記スイッチの上記操作子を押圧して、上記スイッチが介挿されている上記モータの駆動回路の上記２つの系統のうちの第２の系統に電流が流れて上記モータが回転される
ことを特徴とする請求項３に記載のスライドトレーのイジェクト機構。
【請求項５】
本体側筐体に引き出し可能に設けられたスライドトレーのイジェクト機構と、
上記スライドトレーを上記本体側筐体から引き出す弾発力が蓄えられる弾発部材と、
上記弾発力の発動を阻止するロック手段とを備え、
上記ロック手段は、上記本体側筐体に設けられた係合部と係合する被係合部と、
上記被係合部を上記ロック手段がロックされるロック位置からこのロックが解除されるロック解除位置へ移動させる移動手段と、
上記被係合部を移動させる駆動力を供給するモータと、
上記モータからの駆動力を上記移動手段に伝達する伝達手段とを備え、
上記スライドトレーのイジェクト時には、上記移動手段が上記被係合部を操作して、該被係合部が操作されることによって、上記ロック機構のロックが解除されて、上記弾発部材の弾発力によって、上記スライドトレーが上記本体側筐体から引き出される
ことを特徴とする記録媒体駆動装置。
【請求項６】
本体側筐体に引き出し可能に設けられたスライドトレーのイジェクト機構と、
上記スライドトレーを上記本体側筐体から引き出す弾発力が蓄えられる弾発部材と、
上記弾発力の発動を阻止するロック手段とを備え、
上記ロック手段は、上記本体側筐体に設けられた係合部と係合する被係合部と、
上記被係合部を上記ロック手段がロックされるロック位置からこのロックが解除されるロック解除位置へ移動させる移動手段と、
上記被係合部を移動させる駆動力を供給するモータと、
上記モータからの駆動力を上記移動手段に伝達する伝達手段とを備え、
上記スライドトレーのイジェクト時には、上記移動手段が上記被係合部を操作して、該被係合部が操作されることによって、上記ロック機構のロックが解除されて、上記弾発部材の弾発力によって、上記スライドトレーが上記本体側筐体から引き出される記録媒体駆動装置を備える
ことを特徴とする電子機器。
【発明の詳細な説明】
【技術分野】
【０００１】
本発明は新規なスライドトレーのイジェクト機構、記録媒体駆動装置及び電子機器に関する。詳しくは、スライドトレーを本体側筐体に引出可能に設けたものにおいて、耐衝撃性の向上と低消費電力化を図る技術に関する。
【背景技術】
【０００２】
電子機器に、本体側筐体に引出可能にされたスライドトレーを備えたものがある。
【０００３】
例えば、光ディスク再生装置がそのようなスライドトレーを備えたものの一である。
【０００４】
即ち、光ディスク再生装置においては、スライドトレーを本体側筐体から引き出した状態において、スライドトレー上に設けられたスピンドルへの光ディスクの着脱等を行い、また、スライドトレーを本体側筐体に収納した状態、即ち、引込み状態において、光ディスクの再生等を行うものである。
【０００５】
従って、光ディスクの再生中にスライドトレーが妄りに本体側筐体から引き出されたりすると、種々の故障の原因になるので、通常上記引込み状態をロックする手段が設けられる。
【０００６】
そして、かかるロック手段には、通常ソレノイドを使用したものをが採用されている。図１５がそのようなロック手段ａの一例を示すものである。
【０００７】
即ち、スライドトレーと本体側筐体の一方の部材に係合ピンｂを設け、他方の部材に該係合ピンｂに係合する回動レバーｃ及びそれを回動させるソレノイドｄを設けたものである。
【０００８】
回動レバーｃはその一端部が回動軸ｅによって回動自在に支持され、他端部の一の側縁に上記係合ピンｂと係合する係合切欠ｆが形成され、更に、他端部の一の側縁から腕片ｇが側方へ突出されている。
【０００９】
腕片ｇの端部がソレノイドｄの鉄芯ｈに摺動自在に連結され、鉄芯ｈの端部に設けられたストッパ片ｉにより腕片ｇの鉄芯ｈからの抜け止めが為されている。また、鉄芯ｈにはコイルバネｊが外嵌され、該コイルバネｊは上記腕片ｇとソレノイドｄの本体ｋとの間で縮設されており、該コイルバネｊの弾発力によって回動レバーｃには図１５における時計回り方向への回動力が付勢されている。
【００１０】
しかして、スライドトレーが本体側筐体内に引き込まれ、所定の引込み位置まで来ると、係合ピンｂが回動レバーｃの係合切欠ｆに係合し、これによって、スライドトレーはその引込み状態がロックされる。
【００１１】
そして、図示しないイジェクトスイッチが押圧されると、ソレノイドｄのコイルに通電され、鉄芯ｈが本体ｋ内に引き込まれる。鉄芯ｈの本体ｋ内への引込みによって、そのストッパ片ｉによって腕片ｇの先端部がソレノイドｄの本体ｋに近づくように移動され、これによって、回動レバーｃは図１５における反時計回り方向に回動され、従って、係合ピンｂと係合切欠ｆとの係合が解かれる。
【００１２】
係合ピンｂと係合切欠ｆとの係合が解かれると、スライドトレーに付勢されていた弾発力によってスライドトレーはその前端部が本体側筐体から突出せしめられる。そこで、操作者は該本体側筐体から突出した前端部を手で持って引き出せば、スライドトレーを所定の位置まで引き出すことが出来る。
【発明の開示】
【発明が解決しようとする課題】
【００１３】
ところで、上記したロック手段ａのように、スライドトレーの引込み位置へのロックを解除するのにソレノイドを使用すると、鉄芯ｈを吸引するのに大きな電流を必要とし、消費電力が増大するという欠点がある。
【００１４】
消費電力を少なくするためには、例えば、大型のソレノイドを使用すればよいが、これでは装置が大型化してしまうという問題がある。
【００１５】
また、鉄芯ｈの重量が大きいため、図１５に矢印Ａで示す方向の衝撃が装置に加わった場合、鉄芯ｈが容易に矢印Ａ方向へ移動してしまい、スライドトレーの引込み位置へのロックの予期しない解除が行われてしまうという問題がある。
【００１６】
そこで、本発明は、スライドトレーを本体側筐体に引出可能に設けたものにおいて、耐衝撃性の向上と低消費電力化を図ることを課題とする。
【課題を解決するための手段】
【００１７】
本発明スライドトレーのイジェクト機構、記録媒体駆動装置及び電子機器は、上記課題を解決するために、本体側筐体に設けられた係合部と係合するロック手段の被係合部をロック位置からロック解除位置へ移動させる移動手段が被係合部を操作することによって、ロック機構のロックが解除され、スライドトレーを本体側筐体から引き出す弾発力が蓄えられた弾発部材の弾発力によって、スライドトレーが本体側筐体から引き出されるようにしたものである。
【発明の効果】
【００１８】
本発明によれば、スライドトレーの引込み位置へのロックを解除するための駆動源として、低消費電力の直流モータを使用したので、その消費電力が少なくなる。
【００１９】
また、消費電力が少なくなることにより、耐衝撃性も向上する。
【００２０】
また、ロック手段には、装置に加わる衝撃により容易に移動してしまう部材が使用されていないので、装置に加わる衝撃によってスライドトレーの引込み位置へのロックが容易に解除されてしまうようなことがない。
【発明を実施するための最良の形態】
【００２１】
以下に、本発明スライドトレーのイジェクト機構、記録媒体駆動装置及び電子機器の実施の形態を図示した各実施の形態に従って説明する。尚、図示した各実施の形態は、本発明を光ディスク再生装置に適用したものである。
【００２２】
図１乃至図１２は本発明スライドトレーのイジェクト機構、記録媒体駆動装置及び電子機器の第１の実施の形態を示すものである。
【００２３】
光ディスク再生装置１は、例えば、ノート型パーソナルコンピュータのＣＤ−ＲＯＭ装置として使用されるものであり、本体側筐体２にスライドトレー３が引出及び収納自在に設けられている。
【００２４】
スライドトレー３には上面の略中央部に図示しないチャック手段付きのスピンドル４が突出され、その他、図示しない光学ピックアップ、スピンドルモータ、光学ピックアップの送りモータ等の電気的部材が設けられている。スライドトレー３の前面板５はトレー本体６の前面の大きさよりも一回り大きく形成され、スライドトレー３が本体側筐体２内に収納されたときに、該前面板５が本体側筐体２の開口面７を完全に閉塞するようにされている。
【００２５】
尚、トレー本体６は導電性を有する材料で形成され、上記電気的部材はこのトレー本体６に接地されている。
【００２６】
合成樹脂で前後方向に長い板状に形成されたスライドレール８、８はスライドトレー３のトレー本体６の左右両側面に摺動自在に支持され、スライドトレー３の引出時にはトレー本体６の後端から後方へ突出した状態で支持されている。そして、該スライドレール８、８が本体側筐体２の左右内側面に摺動自在に支持され、これによって、スライドトレー３がスライドレール８、８を介して本体側筐体２に引出及び収納自在に支持され、引出時には、図１に示すように、その後端が本体側筐体２の開口面７より前方に位置するまで引き出されるようになっている。
【００２７】
イジェクト板９は導電性のある金属板で形成されており、前後方向に長い板状をしている。イジェクト板９の一の側縁の中央より稍後端に寄った部分にストッパ片１０が突設されている。また、イジェクト板９の前端にはバネ掛け片１１が上方へ突設されている。そして、該イジェクト板９はスライドトレー３の後端部分に前後方向へ摺動自在に支持されている。スライドトレー３の後面壁１２には挿通孔１３が形成され、該挿通孔１３からイジェクト板９が後方へ突出されている。
【００２８】
コイルバネ状をした弾発部材１４がスライドトレー３の後面壁１２とイジェクト板９のバネ掛け片１１との間に張設されており、これによって、イジェクト板９に後方へ向けての移動力が付勢され、イジェクト板９は挿通孔１３の内側開口縁にストッパ片１０が当接するところまで後面壁１２から後方へ突出される。
【００２９】
そして、該イジェクト板９はトレー本体６と電気的導通を保った状態とされている。
【００３０】
導電性を有する板バネ材料で形成された板バネ１５がイジェクト板９の後端部に取着されている。板バネ１５は略水平に延びる被支持部１５ａと該被支持部１５ａの一端から斜め下方へ突出した中間部１５ｂと該中間部１５ｂの下端から真っ直ぐ下方へ延びる支持部１５ｃとを備える。そして、上記被支持部１５ａが上記イジェクト板９の後端部にネジ止めによって固定され、イジェクト板９との間に電気的導通が取られている。
【００３１】
上記板バネ１５の支持部１５ｃには導電性を有する金属材料で形成された軸１６が側方へ突設されている。そして、該軸１６に導電性を有する金属材料で形成されたローラ１７が回転自在に支持されている。そして、該ローラ１７は板バネ１５の弾発力によって本体側筐体２の底面板１８に弾発的に接触している。
【００３２】
本体側筐体２は導電性を有する金属材料で形成されており、従って、スライドトレー３に搭載された電気的部材はトレー本体６、イジェクト板９、板バネ１５、軸１６及びローラ１７を介して本体側筐体２に接地されることになる。
【００３３】
尚、本体側筐体２はその全体が導電性を有している必要はなく、底面板１８のみ或いは少なくともスライドトレー３が本体側筐体２から引き出された状態においてローラ１７が接触する部分のみが導電性を有し、該導電性を有する部分を介して上記電気的部材が結果として接地されるようになっていればよい。
【００３４】
尚、上記構成では、ローラ１７が底面板１８と接触するようになっているが、これは、ローラ１７を用いずに、板バネ１５を直接底面板１８に接触させるようにしても構わない。しかしながら、板バネ１５を直接底面板１８に接触させると、両者の摺接により導電性を有する金属の削り粉が発生し、回路のショート等種々の不都合を生ずる虞があるが、ローラ１７を接触させるようにすることによって、導電性を有する金属の削り粉の発生を防止することが出来る。
【００３５】
本体側筐体２の底面板１８には、上記ローラ１７の転動経路上の後端部と前端部とに係合孔１９、２０が形成されている。
【００３６】
しかして、スライドトレー３が本体側筐体２内に収納されると、先ず、イジェクト板９の後端が本体側筐体２の後面板２１に当接し、それから更にスライドトレー３が本体側筐体２内に押し込まれることによって、イジェクト板９が後面板２１によって相対的に前方へ押圧され、図６に示すように、スライドトレー３内に押し込まれ、弾発部材１４はその分伸張され、弾発力が蓄えられる。また、そのとき、ローラ１７が係合孔１９と係合する。また、図６に示すように、スライドトレー３が本体側筐体２内に収納された状態で、スライドトレー３は後述するロック手段によって該収納された状態をロックされ、該ロック手段によるロックが解除されない限り前方への移動が出来ないようになる。
【００３７】
そして、上記ロック手段による収納位置へのロックが解除されると、弾発部材１４に蓄えられた弾発力が発動されて、該弾発力がイジェクト板９の後端によって本体側筐体２の後面板２１を突っ張るように作用し、これによって、スライドトレー３は引出方向、即ち、本体側筐体２から引き出される方向へ移動される。しかし、その移動量は、イジェクト板９のスライドトレー３の後端から後方への突出量に略限定される。即ち、イジェクト板９の後端に設けられたローラ１７が本体側筐体２の係合孔１９と係合しているので、弾発部材１４に蓄えられていた弾発力によるそれ以上の本体側筐体２からの突出は阻止される。これによって、上記弾発力によってスライドトレー３がズルズルと本体側筐体２から突出していくことによる不測の事態の発生を防止することが出来る。
【００３８】
しかして、スライドトレー３は、図７に示すように、その前端部が本体側筐体２の開口面７から突出した状態になるので、該突出している部分を手で持って更に前方へ引き出すことが出来る。この時、稍強く前方へ引っ張ることによってローラ１７を係合孔１９から引き出すことが出来る。
【００３９】
そして、スライドトレー３を所定の引出位置、即ち、図１に示す位置まで引き出すと、ローラ１７が前側の係合孔２０と係合し、この時に、ローラ１７が係合孔２０内に落ち込む感触、所謂、クリック感がスライドトレー３の前端部を持つ手に伝わり、これによって、操作している者はスライドトレー３を所定の引出位置まで引き出したことを知ることが出来る。
【００４０】
尚、本体側筐体２が導電性金属板で形成されていても、メッキが施されていると、底面板１８の表面を覆うメッキ膜によってローラ１７との間の電気導通が阻害される虞があるが、係合孔１９、２０を打抜き形成するときに出来る切断端面２２（図３及び図６の引き出し拡大部参照）には本体側筐体２の材料本体が露出することになるので、ローラ１７が係合孔１９又は２０に係合したときに、該切断端面２２にローラ１７が接触することにより上記接地が確実に為されることになる。また、係合孔１９、２０の打抜き方向は、底面板１８の下方から為すのが好ましい。即ち、下方から打抜くことによって、図３及び図６の引き出し拡大部に示すように、上記切断端面２２が斜め上方を向くことになり、これによって該切断端面２２のローラ１７との接触がより確実に為されることになる。
【００４１】
次に、スライドトレー３を収納位置にロックするロック手段について説明する。
【００４２】
ロック手段２３は、本体側筐体２に設けられた係合部２４と、該係合部２４と係合する被係合部２５を有すると共にスライドトレー３に回動自在に支持され上記係合部２４と被係合部２５とが係合するロック位置と両者の係合が解除されるロック解除位置との間を回動する回動レバー２６と、該回動レバー２６を回動させる移動手段２７と、該移動手段２７の駆動源としての直流（ＤＣ）モータ２８とを備えている。
【００４３】
係合部２４はピン形状をしており、本体側筐体２の底面板１８の一方の側縁に寄った部分の前端寄りの位置に立設されている。そして、スライドトレー３の底面壁２９の下面の上記係合部２４が相対的に移動する部分に対応する位置には後端に達する通過凹部３０が形成されている。そして、該通過凹部３０の前端部には底面壁２９を切除して成る窓３１が形成されている。
【００４４】
回動レバー２６は底面壁２９の内側に位置し支点軸３２によって回動自在に支持されている。回動レバー２６の後端寄りの部分の一方の側縁には切欠状の被係合部２５が形成されている。そして、該被係合部２５が形成された側縁の被係合部２５が形成された部分の稍後方から後端の部分は後端に行くに従って他方の側縁側に寄って行く傾斜縁３３とされている。回動レバー２６の前端には、上記被係合部２５が形成された側と反対側へ、且つ、稍前方へ変位しながら突出した被押圧片３４が一体に形成され、該被押圧片３４の後方を向いた側縁、即ち、稍前方へ変位しながら側方へ延びる縁３４ａが被押圧縁とされている。
【００４５】
移動手段２７はカムギヤ状に形成され、上記底面壁２９の内側に回転自在に支持されている。そして、移動手段２７の周縁寄りの位置にカムピン３５が立設されている。そして、回動レバー２６の後端寄りの部分とスライドトレー３との間にはコイルバネ状の戻しバネ３６が張設されており、これによって、回動レバー２６にはその被押圧縁３４ａが移動手段２７のカムピン３５に当接する方向への回動力が付勢されている。
【００４６】
ＤＣモータ２８が上記底面壁２９の内側に固定されている。該ＤＣモータ２８の回転軸２８ａにはウォーム３７が固定され、該ウォーム３７と上記移動手段２７との間は２つの中間ギヤ３８、３９によって連係されている。即ち、中間ギヤ３８、３９が底面壁２９の内側に回転自在に支持されており、中間ギヤ３８の大ギヤ、即ち、ウォームホィール部３８ａが上記ウォーム３７と噛合され、小ギヤ３８ｂが中間ギヤ３９の大ギヤ３９ａと噛合され、そして、小ギヤ３９ｂが上記移動手段２７のギヤ部２７ａと噛合されている。従って、ＤＣモータ２８が駆動されると、移動手段２７が回転されることになる。
【００４７】
図９に実線で示す回動レバー２６の位置がロック位置であり、この状態で、回動レバー２６の被係合部２５が形成された部分は底面壁２９に形成された上記窓３１から通過凹部３０の前端部に突出されている。そして、本体側筐体２に設けられた係合部２４が回動レバー２６の被係合部２５に係合されている。
【００４８】
そして、この回動レバー２６がロック位置にある状態から、ＤＣモータ２８が駆動されて移動手段２７が図９に矢印で示す方向へ回転されると、これに伴って移動するカムピン３５が回動レバー２６の被押圧縁３４ａを押圧し、これによって、回動レバー２６が図９における反時計回り方向に回動し、図９に２点鎖線で示すように、その被係合部２５が係合部２４から外れたロック解除位置に達する。それから更に、回動レバー２６が回転してそのカムピン３５が被押圧縁３４ａから外れると、戻しバネ３６の引張力によって回動レバー２６はロック位置に戻される。そして、カムピン３５が再び図９に実線で示す位置に来たときにＤＣモータ２８が停止する。
【００４９】
尚、移動手段２７を上記位置、即ち、ロック位置で停止させる手段の一例としては、図１０に示すカム手段と図１１に示すモータ駆動回路とを使用するものが考えられる。
【００５０】
移動手段２７のカムピン３５が形成された面と反対側の面にカム突起４０が形成され、該カム突起４０の外周面がカム面４１とされている。該カム面４１は移動手段２７の外周に近い押圧部４１ａと移動手段２７の中心寄りにある非押圧部４１ｂとを有する。そして、移動手段２７に近接してスイッチ４２がスライドトレー３の底面壁２９に支持されており、その操作子４２ａが上記カム突起４０のカム面４１に対向するように位置している。しかして、移動手段２７が回転して、カム面４１の押圧部４１ａが操作子４２ａに対向する位置に来ると、該押圧部４１ａによって操作子４２ａが押圧されてスイッチ４２がＯＮ状態となる。また、カム面４１の非押圧部４１ｂが操作子４２ａに対向する位置に来ると、該カム面４１による操作子４２ａの押圧が解除され、スイッチ４２はＯＦＦ状態となる。
【００５１】
モータ駆動回路４３は２系統の回路４４、４５を有している。そして、上記スイッチ４２は第１の回路４４に介挿されている。移動手段２７のカムピン３５が図９に実線で示す位置にある状態において、スイッチ４２の操作子４２ａとカム面４１との位置関係は図１０に示すようになっており、スイッチ４２の操作子４２ａはカム面４１の非押圧部４１ｂと対向している。従って、上記第１の回路４４は開いた状態とされている。
【００５２】
そして、スライドトレー３の前面板５に設けられた図示しないイジェクトスイッチが押されると、第２の回路４５が閉成されてＤＣモータ２８に電流が流れ、ＤＣモータ２８が回転し、これによって、移動手段２７が図９及び図１０に矢印で示す方向に回転を開始する。この時、スイッチ４２はその操作子４２ａがまだカム面４１の非押圧部４１ｂと対向しており、ＯＦＦの状態にあり、第１の回路４４には電流は流れていない。
【００５３】
移動手段２７が所定角度回転すると、カム面４１の押圧部４１ａによってスイッチ４２の操作子４２ａが押圧されてスイッチ４２がＯＮの状態となり、第１の回路４４に電流が流れ、今度は、この第１の回路４４によってＤＣモータ２８が回転されることになる。尚、第２の回路４５に流れていた電流は、イジェクトスイッチが押された後予め設定された時間後に切られるようにされており、スイッチ４２がＯＮ状態となった直後に切られるように設定されている。そして、移動手段２７がそのカムピン３５が図９に実線で示す位置まで回転すると、スイッチ４２の操作子４２ａはカム面４１の非押圧部４１ｂと対向するようになり、スイッチ４２がＯＦＦ状態となり、第１の回路４４が開き、ＤＣモータ２８が停止する。このようにして、移動手段２７は常にそのカムピン３５が図９に実線で示す位置にある状態で停止することになる。
【００５４】
また、上記機構にあっては、移動手段２７を回転させるための駆動源たるＤＣモータ２８と移動手段２７との間をギヤ３８、３９、２７ａによって連係させたが、これに限らず、例えば、図１２に示すように、移動手段２７Ａをカムピン３５を有するカムプーリとして構成し、そのプーリ部４６とＤＣモータ２８の回転軸２８ａに固定された駆動プーリ４７との間に無端状のベルト４８を架け渡した構成としても良い。
【００５５】
しかして、スライドトレー３が図１に示す引出位置から本体側筐体２内に押し込まれて行くと、相対的に本体側筐体２の係合部２４はスライドトレー３の底面に形成された通過凹部３０内を前方へ向かって移動されていく。
【００５６】
そして、係合部２４が通過凹部３０の前端に達すると、該係合部２４は回動レバー２６の傾斜縁３３に当接する。係合部２４が傾斜縁３３に当接したところから係合部２４が更に相対的に前方へ移動すると、該係合部２４が傾斜縁３３を押圧することによって回動レバー２６がロック解除位置の方向へ回動し、これによって係合部２４の更に前方への移動が許容され、係合部２４が回動レバー２６の被係合部２５に対応した位置まで来ると、回動レバー２６が戻しバネ３６によってロック位置へ戻り、これによって、係合部２４と被係合部２５とが係合し、スライドトレー３を図６に示す引き込み位置にロックする。
【００５７】
そして、この間に、イジェクト板９はその後端が本体側筐体２の後面板２１に当接し、更に、弾発部材１４を伸張させながらスライドトレー３内に押し込まれ、これによって、弾発部材１４に弾発力が蓄えられる。
【００５８】
そして、上記したように、図示しないイジェクトスイッチが押圧されて、回動レバー２６がロック解除位置に移動すると、係合部２４と被係合部２５との係合が解除され、弾発部材１４に蓄えられていた弾発力によって、スライドトレー３はその前端部が本体側筐体２の開口面７から前方へ突出される。
【００５９】
図１３及び図１４は本発明スライドトレーのイジェクト機構、記録媒体駆動装置及び電子機器の第２の実施の形態を示すものである。
【００６０】
尚、この第２の実施の形態にかかる光ディスク再生装置１Ａはイジェクト板が本体側筐体に設けられている点のみで上記第１の実施の形態にかかる光ディスク再生装置１と相違し、その他の部分は上記第１の実施の形態におけると同様であるので、該相違する点についてのみ詳細に説明し、その他の部分については、上記第１の実施の形態において付した符号と同様の符号を付して説明を省略する。
【００６１】
本体側筐体２Ａの底面板１８Ａにイジェクト板９が前後方向に摺動自在に支持され、該イジェクト板９のバネ掛け片１１と本体側筐体２Ａの前端部との間に張設されたコイルバネ状をした弾発部材１４によってイジェクト板９には本体側筐体２Ａから前方へ飛び出す方向への移動力が付勢されている。そして、イジェクト板９は前方から押圧されていない状態では、そのかなりの部分が本体側筐体２Ａの前端より突出されている。尚、本体側筐体２Ａは導電性を有する金属板で形成されており、上記イジェクト板９は本体側筐体２Ａと電気的導通を保った状態とされている。
【００６２】
そして、イジェクト板９の前端部には板バネ１５を介してローラ１７が支持されており、該ローラ１７がスライドトレー３Ａの底面壁２９の下面を転動するようになっている。
【００６３】
スライドトレー３Ａの少なくとも底面壁２９は導電性を有する金属板で形成されており、該スライドトレー３Ａに搭載されている電気的部材が底面壁２９に接地されている。しかして、スライドトレー３Ａに搭載されている電気的部材はスライドトレー３Ａの底面壁２９、ローラ１７、板バネ１５、イジェクト板９を介して本体側筐体２Ａに接地されることになる。
【００６４】
スライドトレー３Ａの底面壁２９のうち上記ローラ１７の移動経路上の前端寄りの位置と後端寄りの位置の２箇所に係合孔１９、２０が形成されている。
【００６５】
しかして、スライドトレー３Ａが本体側筐体２Ａ内に引き込まれると、イジェクト板９の前端がスライドトレー３Ａの前面板５によって押圧されて、イジェクト板９は本体側筐体２Ａ内へ押し込まれ、これによって、弾発部材１４が伸長されて弾発力が蓄えられると共に、スライドトレー３Ａは引込み位置にロックされる。また、ローラ１７は前側の係合孔１９と係合される。
【００６６】
そして、上記引込み位置へのロックが解除されると、弾発部材１４に蓄えられていた弾発力によってイジェクト板９が前方へ突出しスライドトレー３Ａの前面板５を押圧するので、スライドトレー３Ａの前端部が本体側筐体２Ａの開口面７から突出する。ただし、ローラ１７が係合孔１９と係合しているので、スライドトレー３Ａはイジェクト板９の本体側筐体２Ａ前端からの突出量に見合った量以上には突出することはない。
【００６７】
そこで、スライドトレー３Ａの本体側筐体２Ａの開口面７から突出している部分を手で持って前方へ引っ張れば、スライドトレー３Ａを本体側筐体２Ａから更に引き出すことが出来る。そして、ローラ１７が後側の係合孔２０と係合することによってスライドトレー３Ａを持つ手にそのクリック感が伝わり、スライドトレー３Ａを所定の位置まで引き出したことを知ることが出来る。
【００６８】
尚、上記各実施の形態では、本発明を光ディスク再生装置に適用したものを示したが、本発明は、本体側筐体に引き出し可能に設けられたスライドトレーを有し、該スライドトレーに接地を必要とする電気的部材を搭載したもの、例えば、テーププレーヤ等に広く適用することが出来ることは勿論である。
【図面の簡単な説明】
【００６９】
【図１】図２乃至図１２と共に本発明スライドトレーのイジェクト機構、記録媒体駆動装置及び電子機器の第１の実施の形態を示すものであり、本図はスライドトレーを本体側筐体から引き出した状態を示す概略斜視図である。
【図２】スライドトレーを本体側筐体から引き出した状態を示す概略側面図である。
【図３】スライドトレーを本体側筐体から引き出した状態における要部の拡大断面図である。
【図４】図３のＩＶ−ＩＶ線に沿う断面図である。
【図５】図３のＶ矢視図である。
【図６】スライドトレーが本体側筐体内に引き込まれた状態における要部の拡大断面図である。
【図７】スライドトレーに対する引込み位置へのロックが解除された状態を一部を省略して示す概略断面図である。
【図８】図９乃至図１２と共にスライドトレーを引込み位置にロックするロック手段を示すものであり、本図は本体側筐体の一部を切り欠いて示す底面図である。
【図９】要部の拡大平面図である。
【図１０】図１１と共に移動手段を定位置で停止させる手段について示すものであり、本図は移動手段のカム突起が形成された面を示す図である。
【図１１】概略的な回路図である。
【図１２】変形例を示す要部の拡大平面図である。
【図１３】図１４と共に本発明スライドトレーのイジェクト機構、記録媒体駆動装置及び電子機器の第２の実施の形態を示すものであり、本図はスライドトレーが本体側筐体から引き出された状態を示す要部の拡大断面図である。
【図１４】スライドトレーが本体側筐体に引き込まれた状態を示す要部の拡大断面図である。
【図１５】従来のスライドトレーのイジェクト機構におけるロック手段を示す要部の平面図である。
【符号の説明】
【００７０】
２…本体側筐体、３…スライドトレー、９…イジェクト板、１４…弾発部材、２３…ロック手段、２４…係合部、２５…被係合部、２６…回動レバー、２７…移動手段、２８…直流（ＤＣ）モータ、３６…戻しバネ、３８…伝達手段、３９…伝達手段、４１…カム面、４１ａ…押圧部、４１ｂ…非押圧部、４２…スイッチ、４３…モータの駆動回路、４４…第１の系統（回路）、４５…第２の系統（回路）、４７…伝達手段、４８…伝達手段、２７Ａ…移動手段
【図１】
2006155895.tif 000003
【図２】
2006155895.tif 000004
【図３】
2006155895.tif 000005
【図４】
2006155895.tif 000006
【図５】
2006155895.tif 000007
【図６】
2006155895.tif 000008
【図７】
2006155895.tif 000009
【図８】
2006155895.tif 000010
【図９】
2006155895.tif 000011
【図１０】
2006155895.tif 000012
【図１１】
2006155895.tif 000013
【図１２】
2006155895.tif 000014
【図１３】
2006155895.tif 000015
【図１４】
2006155895.tif 000016
【図１５】
2006155895.tif 000017